(57)【要約】      （修正有）【課題】鏡筒の動作に連動して発光ユニットを突出位置と収納位置に切り替えることができ、使用状態に応じて手動で発光ユニットを突出位置と収納位置に切り替え可能な撮像装置を提供すること。【解決手段】発光ユニット１は、収納位置と突出位置との間を移動する。スライダ３７は、鏡筒の沈胴位置と撮影位置との間の移動に連動して、第１の位置と第２の位置との間を移動する。トグルばね４０９は付勢力の方向反転により、発光ユニット１を収納位置または突出位置にて保持する方向に付勢する。スライダ３７が第１または第２の位置にあるとき、そのレバー３９は、発光ユニット１に形成した突起４２の移動軌跡外に位置する。スライダ３７が第１の位置と第２の位置との間を移動する際、レバー３９が突起４２に接触しながら移動して発光ユニット１を、トグルばね４０９の付勢方向が反転する位置まで移動させ、レバー３９はさらに突起４２の移動軌跡外に位置する。【選択図】図５
2012185391.tif 000002
【特許請求の範囲】
【請求項１】
発光ユニットが本体部に収納される収納位置と本体部から突出する突出位置に移動可能な撮像装置であって、
沈胴位置と撮影位置との間を移動する鏡筒の動作に連動して、第１の位置と第２の位置との間を移動する移動部材と、
付勢力の方向が反転することで、前記発光ユニットを前記収納位置と前記突出位置に保持する方向にそれぞれ付勢する付勢手段を備え、
前記第１の位置と前記第２の位置にて前記移動部材は前記発光ユニットに接触せず、前記移動部材が前記第１の位置と前記第２の位置の間を移動する途中で当該移動部材は前記発光ユニットを、前記付勢手段の付勢方向が反転する位置に移動させることを特徴とする撮像装置。
【請求項２】
前記移動部材に設けた突出部と、
前記移動部材が移動する際に前記突出部と当接するように前記発光ユニットに設けた当接部を備え、
前記移動部材が前記第１の位置または前記第２の位置にあるときに前記突出部は、前記発光ユニットを前記収納位置と前記突出位置との間で移動させるときの前記当接部の移動軌跡外に位置し、
前記移動部材が前記第１の位置と前記第２の位置との間を移動する際には、前記突出部が前記当接部に接触しながら移動して前記発光ユニットを、前記付勢手段の付勢方向が反転する位置まで移動させることを特徴とする請求項１に記載の撮像装置。
【請求項３】
前記突出部は、弾性部材を用いて前記移動部材の移動方向に対して直交する方向に付勢されており、
前記移動部材が前記第１の位置と前記第２の位置との間を移動する際に前記当接部は前記弾性部材の付勢力に抗して前記突出部を変位させることを特徴とする請求項２に記載の撮像装置。
【請求項４】
前記突出部は、弾性部材によって付勢された状態で前記移動部材に対して回動可能に取り付けられており、
前記移動部材が前記第１の位置と前記第２の位置との間を移動する際に前記当接部は前記弾性部材の付勢力に抗して前記突出部を回動させることを特徴とする請求項２に記載の撮像装置。
【請求項５】
前記発光ユニットが前記収納位置と前記突出位置との間を移動するときに、前記当接部は円弧状の前記移動軌跡に沿って移動し、前記突出部は前記第１の位置と前記第２の位置との間を前記鏡筒の光軸に平行な方向に沿って移動することを特徴とする請求項２ないし４のいずれか１項に記載の撮像装置。
【請求項６】
収納位置と突出位置との間を移動可能な発光ユニットと、
付勢力の方向が反転することで、前記発光ユニットを前記収納位置または前記突出位置に付勢するトグルばねと、
沈胴位置と撮影位置との間を移動する鏡筒と、
前記鏡筒の前記沈胴位置と前記撮影位置との間の移動に連動して、第１の位置と第２の位置との間を移動する移動部材とを有し、
前記移動部材には突出部が形成されるとともに、前記発光ユニットには前記突出部と当接する当接部が形成され、
前記移動部材が前記第１の位置または前記第２の位置にあるとき、前記突出部は、前記発光ユニットを前記収納位置と前記突出位置との間で移動させたときの前記当接部の移動軌跡外に位置し、
前記移動部材を前記第１の位置と前記第２の位置との間で移動させる際には、前記発光ユニットを前記トグルばねの付勢力が反転する位置まで移動させた後に、前記突出部が前記当接部を乗り越えることで、前記突出部を前記当接部の移動軌跡外に位置させることを特徴とする撮像装置。
【請求項７】
前記突出部は前記移動部材の移動方向とは異なる方向に変位することを特徴とする請求項６に記載の撮像装置。
【請求項８】
前記突出部は突出方向に付勢されるものであって、前記突出部が前記当接部を乗り越える際には、前記突出部が付勢力に抗して押し込まれることを特徴とする請求項７に記載の撮像装置。
【請求項９】
前記発光ユニットを前記収納位置と前記突出位置との間で移動させたときの前記当接部の移動軌跡は円弧状であって、前記移動部材を前記第１の位置と前記第２の位置との間で移動させたときの前記突出部の移動軌跡は直線状であることを特徴とする請求項６ないし８のいずれか１項に記載の撮像装置。
【請求項１０】
前記移動部材が前記第１の位置または前記第２の位置にあるとき、前記突出部は、前記当接部に当接しない状態となることを特徴とする請求項６ないし９のいずれか１項に記載の撮像装置。
【発明の詳細な説明】
【技術分野】
【０００１】
本発明は、被写体に向けて発光可能な発光位置と非発光位置の間で移動可能な発光ユニット、いわゆるポップアップ式閃光器を備える撮像装置に関するものである。
【背景技術】
【０００２】
従来、この種の撮像装置における発光ユニットは電源オフ時や非発光設定時に撮像装置内に収納されている。そして、電源オン時には鏡筒の繰り出し動作と連動して、発光ユニットが撮像装置から突出する。
特許文献１に開示の装置では、鏡筒が沈胴位置から繰り出す動作、および沈胴位置への鏡筒の繰り込み動作に連動して、ストロボ発光部の突出動作や収納動作が行われる。鏡筒の外周にて回転運動のみが可能に嵌合されているカム筒にはカム溝が形成されており、これにカム係合して回転する軸によってストロボ発光部の突出および収納動作が可能である。
【先行技術文献】
【特許文献】
【０００３】
【特許文献１】特開平０７−１９９２９５号公報
【発明の概要】
【発明が解決しようとする課題】
【０００４】
従来の撮像装置では、鏡筒の繰り出し状態で常に発光ユニットが突出した状態を維持し、また鏡筒の沈胴状態では収納した状態を維持する。電源投入と同時に発光ユニットが突出することで、撮影の機会を逃さないという利点がある。しかし、ユーザが発光禁止に設定している場合でも、発光ユニットが常時突出していると撮影の妨げになることがある。また、ユーザは発光禁止の設定を行ったか否かをその都度確認する必要があるため、煩わしさを感じるおそれがある。
そこで本発明は、鏡筒の動作に連動して発光ユニットを突出位置と収納位置に切り替えることができ、使用状態に応じて手動で発光ユニットを突出位置と収納位置に切り替え可能な撮像装置の提供を目的とする。
【課題を解決するための手段】
【０００５】
上記課題を解決するために本発明に係る装置は、発光ユニットが本体部に収納される収納位置と本体部から突出する突出位置に移動可能な撮像装置であって、沈胴位置と撮影位置との間を移動する鏡筒の動作に連動して、第１の位置と第２の位置との間を移動する移動部材と、付勢力の方向が反転することで、前記発光ユニットを前記収納位置と前記突出位置に保持する方向にそれぞれ付勢する付勢手段を備える。前記第１の位置と前記第２の位置にて前記移動部材は前記発光ユニットに接触せず、前記移動部材が前記第１の位置と前記第２の位置の間を移動する途中で当該移動部材は前記発光ユニットを、前記付勢手段の付勢方向が反転する位置に移動させる。
【発明の効果】
【０００６】
本発明によれば、鏡筒の動作に連動して発光ユニットを突出位置と収納位置に切り替えることができ、しかもユーザは使用状態に応じて手動で発光ユニットを突出位置と収納位置に切り替えることができる。
【図面の簡単な説明】
【０００７】
【図１】図２乃至５と併せて本発明の第１実施形態を説明するために、撮像装置の外観を例示する斜視図である。
【図２】鏡筒の分解斜視図である。
【図３】発光ユニットの分解斜視図である。
【図４】鏡筒の動作と連動した発光ユニットの収納および突出動作の説明図である。
【図５】手動による発光ユニットの収納および突出動作の説明図である。
【図６】本発明の第２実施形態に係るスライダと発光ユニットを示す図である。
【発明を実施するための形態】
【０００８】
以下に本発明の実施形態として、可動式の発光ユニットを備えた撮像装置を説明する。この発光ユニットは撮像装置の本体部に収納される収納位置と本体部から突出した突出位置の間で移動可能である。
【０００９】
[第１実施形態]
以下、図１乃至５を参照して、本発明の第１実施形態に係る撮像装置について説明する。
図１は、発光ユニット１を備える撮像装置１００の外観例を示す斜視図である。図１（Ａ）は電源オフの状態を示す。図１（Ｂ）は電源オン時の状態を示し、撮像装置１００の上方に発光ユニット１が突出して発光可能状態となっている。ユーザの電源オン操作により鏡筒３はＷＩＤＥ（広角）位置で停止する。発光ユニット１は、そのカバー部材２が撮像装置の上面を部分的に形成しており、後述する複数の部品から構成される。発光ユニット１は、撮像装置１００の中央に位置する鏡筒３の駆動環（図２の符号３０参照）の回転に連動して、収納状態から突出状態へ、または逆に突出状態から収納状態へと変化する。
発光ユニット１は、電源オン／オフ状態および鏡筒３の状態とは関係なく、ユーザが手動で発光ユニット１を突出状態から収納状態へと変更し、または逆に収納状態から突出状態へと変更できる。撮像装置１００では下記（１）乃至（６）の動作が可能である。
（１）電源オフ状態から電源オン操作で発光ユニット１が突出する自動ポップアップ動作。
（２）電源オン状態から電源オフ操作で発光ユニット１が収納される自動ポップダウン動作。
（３）電源オン状態にて、ユーザが手動で発光ユニット１を突出状態から収納状態へ動かす動作。
（４）電源オフ状態にて、ユーザが手動で発光ユニット１を収納状態から突出状態へ動かす動作。
（５）前記（３）の収納状態を維持した状態で行う電源オフ動作。
（６）前記（４）の突出状態を維持した状態で行う電源オン動作。
【００１０】
各動作の原理を説明するために、鏡筒３および発光ユニット１の構成を説明した後で、沈胴位置と撮影位置との間を移動する鏡筒３に連動した発光ユニット１の動作原理について説明する。
まず、鏡筒３の構成例を、図２の分解斜視図を用いて説明する。
鏡筒３の光学系は、１群レンズおよび２群レンズと、不図示のフォーカシングレンズを含む３群レンズから構成される。１群レンズおよび２群レンズは、１群レンズホルダ１０、２群レンズホルダ１１にそれぞれ保持される。直進案内板１２には１群案内棒１３が一体に形成されており、１群レンズホルダ１０の内面に形成されて光軸に平行な方向へ延びる不図示の溝に係合し、１群レンズホルダ１０を光軸方向へ移動可能に支持する。同様に直進案内板１２には２群案内棒１５が一体に形成されており、２群レンズホルダ１１の外周部に設けられた２群直進穴１４に係合し、２群レンズホルダ１１を光軸方向へ移動可能に支持する。直進案内板１２のフランジ部の外縁には、複数の突起１６が形成されており、これらの突起１６は固定カム環１７の内面に設けられて光軸に平行な方向へ延びる複数の溝１８にそれぞれ係合する。これにより、直進案内板１２は光軸方向へ移動自在に支持される。
移動カム環１９の外面部には、複数のカムフォロワ２０が光軸回りに３等分の角度間隔で設けられており、固定カム環１７の内面に設けられた、同形状の３本のカム２１にそれぞれカム係合する。移動カム環１９の回転に伴い、カムフォロワ２０はカム２１の軌跡に沿って係合位置が移動し、これにより移動カム環１９は回転しながら光軸方向に変位することができる。さらに、移動カム環１９の内面後端部に設けられたフランジ２２には、直進案内板１２のフック２３が係合し、直進案内板１２は移動カム環１９に対して相対的に回転可能な状態で係合する。これにより、移動カム環１９の光軸方向への変位に伴って、直進案内板１２も光軸方向へ変位する。
【００１１】
１群レンズホルダ１０の外面部には、複数の１群カムフォロワ２４が光軸回りに３等分の角度間隔で設けられており、移動カム環１９の内面に設けられた、同形状の３本の１群カム２５にそれぞれカム係合する。移動カム環１９の回転に伴い、１群カムフォロワ２４は１群カム２５の軌跡に沿って係合位置が移動する。また、前述のように１群レンズホルダ１０は光軸方向へ移動するように案内されるので、１群レンズホルダ１０は移動カム環１９の回転に伴い、１群カム２５の光軸方向への変位量に合わせて変位する。
２群レンズホルダ１１の外面部には、複数の２群カムフォロワ２６が光軸回りに３等分の角度間隔で設けられており、移動カム環１９の内面に設けられた、同形状の３本の２群カム２７にそれぞれカム係合する。移動カム環１９の回転に伴い２群カムフォロワ２６は２群カム２７の軌跡に沿って係合位置が移動する。また、前述のように２群レンズホルダ１１は光軸方向へ移動するよう案内されているので、２群レンズホルダ１１は移動カム環１９の回転に伴い、２群カム２７の光軸方向への変位量に合わせて変位する。
【００１２】
移動カム環１９の外面において光軸回りに３等分の角度間隔で設けられた駆動ピン２８は、固定カム環１７のカム穴２９を貫通してその外面から突出する。カム穴２９は固定カム環１７の内面から外面に貫通している。カム２１とカム穴２９の軌跡は同形状であり、移動カム環１９が固定カム環１７に対して回転して繰り出す動作に対して、駆動ピン２８はカム穴２９の軌跡に沿って突出した状態を維持する。
駆動環３０は固定カム環１７の外周面部に挿合して回転自在に支持される。駆動環３０の内面には、光軸に平行な方向に延在する溝３１が光軸回りに３等分の角度間隔で配置され、各溝３１が駆動ピン２８にそれぞれ係合する。これにより、駆動環３０の回転が溝３１および駆動ピン２８を介して移動カム環１９へ伝達される。
【００１３】
上述のように、１群レンズホルダ１０、２群レンズホルダ１１、直進案内板１２、固定カム環１７、移動カム環１９および駆動環３０は一体となって、それぞれが連携して動作する。そして、これらの部品は鏡筒ベース３２に組み込まれる。さらに、不図示の撮像素子を保持するホルダ３３が、鏡筒ベース３２とともに固定カム環１７のフランジ部分を挟み込むようにして固定されることで、鏡筒３が組み上がる。
駆動源４４には電力を動力へと変換する電磁モータが使用される。駆動源４４の動力はギア列４５を介して駆動環３０の外面に設けた駆動環ギア４６へ伝達される。撮像装置本体部に設けた不図示の駆動回路から駆動源４４への通電によって駆動環３０が回転する。駆動環３０の外面にはストロボカム４１が設けられており、スライダ３７と係合している。スライダ３７は光軸に平行な方向に沿って移動可能な移動部材であり、その詳細については後述する。駆動源４４が駆動環３０を回転させることにより、スライダ３７はストロボカム４１の溝形状に従って、光軸に平行な方向へ移動する。
【００１４】
次に、発光ユニット１の構成例について、図３の分解斜視図を用いて説明する。
発光体４０１にはキセノン管が使用され、リード線４０２で電気的に接続され、フレキシブル配線基板４０３を介して、発光制御を行うストロボ基板４０４に接続されている。反射笠４０５はキセノン管４０１からの光を集光する。キセノン管ゴム４０６はキセノン管４０１の端子部の絶縁と、キセノン管４０１を反射笠４０５側へ付勢する機能を有する。プリズムパネル４０７は、キセノン管４０１および反射笠４０５からの光を所定の撮影範囲に照射する役目をもつ。
【００１５】
キセノン管４０１、プリズムパネル４０７、キセノン管ゴム４０６、反射笠４０５等の発光関連部品は、ストロボホルダ４０８に組み込まれる。ストロボホルダ４０８は、ストロボシャフト３０２を中心に回動可能であり、軸４１０が軽圧入されている。この軸４１０にはトグルばね４０９の一端が引っ掛けられる。トグルばね４０９は付勢力の方向が反転することで、発光ユニット１を収納位置や突出位置に保持する方向にそれぞれ付勢する。トグルばね４０９の他端は、ストロボベース３０１に設けた軸３０１ａに引っ掛かっている。
ベース部材４１１には、フレキシブル配線基板４０３と、ストロボ基板４０４と、ストロボコンデンサ４１２が取り付けられ、ストロボベース３０１とネジ締結されて発光装置を構成している。発光ユニット１が撮像装置１００に対し、突出位置と収納位置のうちいずれの位置にあるかを検知するために、レバー式の検知用スイッチ４０３ａが設けられており、該スイッチはベース部材４１１に形成された穴４１１ａ内に配置される。スイッチ４０３ａはフレキシブル配線基板４０３に実装され、発光ユニット１が収納位置にあるか、または突出位置にあるかを検出する。ストロボホルダ４０８に形成した突起４０８ａがスイッチ４０３ａのレバーを押し込んでいる場合、スイッチ４０３ａの検出信号が不図示の制御部に送られる。該制御部は発光ユニット１が収納状態であると判断し、発光ユニット１を非発光状態に移行させる。逆に突起４０８ａがスイッチ４０３ａのレバーから離れた場合には、制御部は発光ユニット１が突出状態であると判断し、撮影時に発光ユニット１を発光状態に移行させる。
【００１６】
次に、本実施形態におけるスライダ３７と発光ユニット１の構成について説明する。
図２や図４に示すスライダ３７は鏡筒ベース３２に保持されたスライダシャフト３８に沿って案内され、光軸に平行な方向へ移動可能に支持される。スライダ３７は駆動環３０の外面に設けられたストロボカム４１と係合しており、鏡筒３が沈胴状態と撮影状態の間で移動すると、駆動環３０のストロボカム４１に従って第１の位置と第２の位置の間を移動する。スライダ３７には、その移動方向に対して直交する方向にてレバー３９が突出部として取り付けられている。レバー３９は弾性部材である圧縮ばね４０の力によって撮像装置１００の上面方向（レバー３９の突出方向）へ付勢されている。一方、発光ユニット１にはレバー３９に対する当接部として突起４２が形成されている。スライダ３７が光軸に平行な方向に沿って移動するのに伴い、レバー３９が突起４２を押圧する構成となっている。発光ユニット１は、その収納状態と突出状態の間で付勢方向が切り替わるトグルばね４０９により、各状態にて安定的に支持される。スライダ３７が光軸に平行な方向へ移動して突起４２がレバー３９により押圧された場合、発光ユニット１はストロボシャフト３０２を中心として回転力を受ける。この回転力によってトグルばね４０９の付勢力に抗して発光ユニット１が持ち上がる。トグルばね４０９の付勢方向を切り替えることにより、発光ユニット１を撮像装置本体部から突出させてストロボ使用状態へと移行させることができる。
【００１７】
次に、図４を用いて、発光ユニット１の収納状態から突出状態への動作、および突出状態から収納状態への動作における、レバー３９と突起４２の関係について説明する。なお、図４の右方を撮像装置１００の前方（被写体側）とする。
図４（Ａ）は発光ユニット１の収納状態を示し、スライダ３７は第１の位置にある。レバー３９は突起４２に対し、光軸に平行な方向にて後方に位置している。この状態でトグルばね４０９は発光ユニット１を安定して収納状態に保持する方向（図４の時計回り方向）へ付勢している。この収納状態から電源オン動作が行われると、駆動環３０（図２参照）の回転によりスライダ３７が光軸に平行な方向に沿って前方へ移動する。これに伴ってレバー３９は突起４２に当接してこれを押圧し、レバー３９および突起４２はともに前方へ移動する。そして、これらがさらに移動し、その途中でトグルばね４０９の付勢方向の反転位置を通過した場合、レバー３９は突起４２に対し、その下方へ退避した状態となる（図４（Ｂ）参照）。つまり、突起４２が圧縮ばね４０の力に抗してレバー３９を押し下げた状態になる。
図４（Ｂ）に示す状態からさらにスライダ３７が第２の位置に向けて移動し、発光ユニット１が突出状態となった場合、レバー３９は突起４２の前方に移動している（図４（Ｃ）参照）。したがって、スライダ３７を第１の位置と第２の位置との間で移動させたときのレバー３９の移動軌跡は直線状となる。発光ユニット１は、トグルばね４０９の力によって安定的に突出状態を保持する方向へ付勢されている。図４（Ｃ）の状態で電源がオフになると、駆動環３０の回転によりスライダ３７が後方へ移動するため、レバー３９により突起４２が押圧され、レバー３９、突起４２ともに後方へ移動する。そして、これらがさらに後方へ移動し、その途中でトグルばね４０９の付勢方向の反転位置を通過した場合、レバー３９が突起４２に対し、その下方へ退避し、突起４２が圧縮ばね４０の力に抗してレバー３９を押し下げた状態となる（図４（Ｄ）参照）。この状態からさらにスライダ３７が後方に移動して発光ユニット１が収納状態となった場合、レバー３９は突起４２よりも後方へ移動して、図４（Ａ）に示す状態に戻る。
【００１８】
上述のように、本実施形態では、突起４２に対するレバー３９の位置関係、つまり光軸に平行な方向における位置関係を逆転させるための退避機構を有している。鏡筒３の動作に連動してスライダ３７が第１の位置と第２の位置との間で移動する際には、発光ユニット１をトグルばね４０９の付勢力が反転する位置まで移動させた後で、レバー３９が突起４２を乗り越えて、突起４２の移動軌跡外に位置する。このため、撮像装置の電源オン／オフに連動して発光ユニット１を突出／収納状態に移動させることができる。ここで、発光ユニット１の収納状態（図４（Ａ）参照）および突出状態（図４（Ｃ）参照）では、レバー３９と突起４２とが接触せず、両者の間には所定以上のクリアランスが取れるよう設定している。これにより、ストロボカム４１の形状や各部品の組み立て位置に誤差が生じたとしても、誤ってレバー３９が突起４２を作動させることは無いため、発光ユニット１を安定して収納状態および突出状態へとそれぞれ移動させることができる。
また本実施形態に示す発光ユニット１は、その収納状態および突出状態においてトグルばね４０９の付勢力のみによって保持されている。また、電源オン状態または電源オフ状態でレバー３９は、収納状態から突出状態における突起４２の円弧状の移動軌跡外に配置されている。そのため、ユーザが発光ユニット１を電源オン状態で収納状態に移動させたい場合、あるいは、電源オフ状態で突出状態に移動させたい場合、トグルばね４０９の付勢方向が切り替わる位置まで発光ユニット１を移動させればよい。つまり、ユーザは手動での切り替えが可能であり、その動作を図５に示す。図５（Ａ）は電源オフ状態での発光ユニット１の収納状態を示し、図５（Ｂ）は手動操作による発光ユニット１の突出状態を示す。その間、スライダ３７は後退位置（第１の位置）に留まっており、レバー３９と突起４２は接触しない。また、図５（Ｄ）は電源オン状態での発光ユニット１の収納状態を示し、図５（Ｃ）は手動操作による発光ユニット１の突出状態を示す。その間、スライダ３７は前進位置（第２の位置）のままであり、レバー３９と突起４２は接触しない。さらに、ユーザが手動で発光ユニット１の姿勢を切り替えた後で電源オン／オフ操作を行った場合、突起４２に対し、前述の退避機構によりレバー３９との位置関係を逆転させることが可能となる。そのため、ユーザは電源オン／オフ操作を行う前の発光ユニット１の状態を気にせずに当該操作を行える。
【００１９】
[第２実施形態]
次に、本発明の第２実施形態を説明する。第２実施形態に係る発光ユニット１や鏡筒３の構成については第１実施形態の場合と同様である。よって、既に使用した符号を用いることでそれらの説明を省略し、以下では、スライダ３７と発光ユニット１の構成について図６を用いて説明する。なお、図６の右方を撮像装置１００の前方（被写体側）とする。
図６（Ａ）は発光ユニット１の収納状態を示し、図６（Ｂ）は電源オン操作によりスライダ３７が光軸に平行な方向に沿って前方へ移動する過程で突起４２に対し、レバー５０が退避している状態を示す。本実施形態にてレバー５０は中立状態でスライダ３７の進行方向に対して垂直な方向を向いており、軸５１を中心に左右に回動できるように、コイルばね（不図示）などの弾性部材で付勢されている。発光ユニット１は第１実施形態の場合と同様に、トグルばね４０９により、付勢方向の変化点を境に収納状態または突出状態を維持する方向に付勢されている。
【００２０】
ここで、レバー５０に作用しているコイルばねの付勢力の方が、トグルばね４０９の付勢力よりも大きくなるように設計されている。そのため、電源オン操作により、図６（Ａ）の状態からスライダ３７が前方（図６の右方）へ移動する場合、レバー５０が回転することなく突起４２の作動が可能になる。さらに、レバー５０に押されて突起４２が前方へ移動してトグルばね４０９の反転位置を通過した後、レバー５０は図６（Ｂ）に示すように、進行方向とは反対方向へ回動して突起４２に対し退避する。さらにスライダ３７が前方に移動すると、レバー５０は再びスライダ３７の進行方向に対して垂直な方向を向く。こうして突起４２とレバー５０との間で、光軸に平行な方向における位置関係を逆転させることができる。電源オフ操作が行われた場合も同様に、レバー５０に押されて突起４２が後方に移動してトグルばね４０９の反転位置を通過した後で、レバー５０が進行方向とは反対方向へ回動して突起４２に対し退避する。さらにスライダ３７が後方に移動すると、レバー５０は再びスライダ３７の進行方向に対して垂直な方向を向く。こうして突起４２とレバー５０との位置関係を逆転させ、図６（Ａ）の状態に戻すことができる。
第２実施形態では、突起４２に対するレバー５０の回動により、両者の位置関係を逆転させるための退避機構を有するため、撮像装置の電源オン／オフに連動して発光ユニット１を突出／収納状態に移動させることができる。
以上、本発明の好適な実施形態について詳述したが、本発明の要旨を逸脱しない範囲の様々な形態も本発明に含まれる。
【符号の説明】
【００２１】
１  発光ユニット
３  鏡筒
３７  スライダ
３９、５０  レバー
４２  突起
１００  撮像装置
４０９  トグルばね
【図１】
2012185391.tif 000003
【図２】
2012185391.tif 000004
【図３】
2012185391.tif 000005
【図４】
2012185391.tif 000006
【図５】
2012185391.tif 000007
【図６】
2012185391.tif 000008